(57)【特許請求の範囲】
【請求項１】
雄ネジに螺合される第１の雌ネジ部材と、該第１の雌ネジ部材と同軸に前記雄ネジに螺合され該第１の雌ネジ部材よりも大きな外径を有する第２の雌ネジ部材とからなるとともに、前記第１の雌ネジ部材が収容される凹部を前記第２の雌ネジ部材に設けてなり、前記凹部に前記第１の雌ネジ部材が収容されたとき、前記凹部の内面と前記雄ネジの材軸方向に沿って該内面と対向する前記第１の雌ネジ部材の対向面とが互いに離間した状態で、前記第２の雌ネジ部材における被締結物側部位のうち、前記凹部を取り囲む環状部位が前記第１の雌ネジ部材における被締結物側部位と面一となるように前記凹部を構成した複合雌ネジ部材であって、締結が完了した状態において前記雄ネジに発生する引張荷重が、前記第１の雌ネジ部材と前記第２の雌ネジ部材で分散支持されるようになっていることを特徴とする複合雌ネジ部材。
【請求項２】
ロッドの端部に形成された雄ネジに複合雌ネジ部材をコンクリート定着板として取り付けるようになっているコンクリートせん断補強具において、
前記複合雌ネジ部材を、前記雄ネジに螺合される第１の雌ネジ部材と、該第１の雌ネジ部材と同軸に前記雄ネジに螺合され該第１の雌ネジ部材よりも大きな外径を有する第２の雌ネジ部材とで構成するとともに、前記第１の雌ネジ部材が収容される凹部を前記第２の雌ネジ部材に設けてなり、前記凹部に前記第１の雌ネジ部材が収容されたとき、前記凹部の内面と前記雄ネジの材軸方向に沿って該内面と対向する前記第１の雌ネジ部材の対向面とが互いに離間した状態で、前記第２の雌ネジ部材において前記ロッドの反対側端部を向く部位のうち、前記凹部を取り囲む環状部位が、前記第１の雌ネジ部材において前記ロッドの反対側端部を向く部位と面一となり又は該部位と垂直な段差が形成されるように前記凹部を構成したことを特徴とするコンクリートせん断補強具。
【請求項３】
前記凹部の内面と該内面と対向する前記第１の雌ネジ部材の対向面との間にそれらの離間状態が保持されるように配置されるスペーサーを備えた請求項２記載のコンクリートせん断補強具。
【発明の詳細な説明】
【技術分野】
【０００１】
本発明は、様々な産業分野で用いられる複合雌ネジ部材及びそれを用いたコンクリートせん断補強具に関する。
【背景技術】
【０００２】
ボルト締結による部材同士の連結や取付けは、機械、土木、建築など、さまざまな産業用途で広く使用されているが、取付け部位によっては、機械振動、あるいは地震等の外乱による振動が繰り返し荷重としてボルトに作用する。
【０００３】
このような状況では、上述した繰り返し荷重によってボルトが疲労破壊する懸念があるが、疲労破壊によるボルトの破損は、機械全体あるいは構造物全体に影響を及ぼしかねないため、ボルトを採用する際には、その疲労強度を十分考慮して設計するとともに、取付け後は、定期的な保守点検が必要不可欠となる。
【０００４】
ここで、ボルトに引張荷重が作用する場合、該ボルトが螺合される雌ネジからの反力によって該ボルトに引張応力が生じるが、この引張応力は、材軸方向に沿って均一とはならず、ボルトの頭部に最も近い雌ネジのネジ山と係合する箇所で最大となり、該ネジ山からボルト先端側に向けて小さくなる。
【０００５】
そして、従来のボルトでは、引張荷重が作用したとき、雌ネジの挿入開口近傍に引張応力が集中し、疲労破壊もこの断面位置で生じることが多い。
【０００６】
これを踏まえ、特許文献１には、「雄螺子部のボルト頭側又はボルト円筒部側の螺子山の頂部の一部が除去され前記ボルト頭側又は前記ボルト円筒部側に向かって螺子山外径が縮径したテーパ部を備えたボルト」が提案されているとともに、かかる構成によれば、「並目ナットと螺合されるテーパ部の各々の螺子山の高さが、分担する面圧力に逆比例して漸減するので、テーパ部の各々の螺子山の荷重分担が均一化し、並目ナットを螺合した際に、並目ナットのボルト頭側又はボルト円筒部側（内側）の端面近傍のテーパ部の螺子谷底に引張りや曲げの応力が集中するのを緩和でき、疲労強度を大幅に向上することができる」（段落［０００５］）と記載されている。
【０００７】
また、非特許文献１には、「ボルトのねじ山の漸減研削によって、ねじ部の荷重分担を均一にし、応力集中を緩和し、さらにねじ面の片当りを減少させ、疲労強度を向上」させることが可能なボルトが開示されている。
【先行技術文献】
【特許文献】
【０００８】
【特許文献１】特開２００９−１７４５６４号公報
【非特許文献】
【０００９】
【非特許文献１】「ＣＤボルト」、株式会社ＮＳボルテン、[平成２６年７月８日検索]、インターネット＜URL : http://www.bolten.co.jp/nsb/newpage3-11.htm＞
【発明の概要】
【発明が解決しようとする課題】
【００１０】
しかしながら、上述のようにボルトを加工すると、その断面積が減少して耐荷重性能が低下する懸念があるという問題や、いずれも複雑な加工が必要であって、製作コストが高くなるため、保守点検が困難な部位に用いるなど、その用途が限定されるという問題を生じていた。
【００１１】
また、非特許文献１が参照するＣＤボルトカタログ第５頁には、ボルトの位置に関し、「ナットの掛かる位置、すなわちナット端面がボルトのＣＤ加工の中央付近にくるように」すると記載されていることからもわかる通り、上述のボルトはいずれも、ネジ山頂部での径が材軸方向に沿って変動するため、通常のボルトナットとは異なり、特定の範囲で雌ネジと螺合される必要がある。
【００１２】
すなわち、上述したボルトには、雌ネジと螺合される箇所に関して最適範囲が存在し、それゆえ、被締結物の厚みに応じてさまざまな長さサイズを多数用意しなければならず、汎用性に欠けるという問題も生じていた。
【課題を解決するための手段】
【００１３】
本発明は、上述した事情を考慮してなされたもので、経済性と汎用性に優れた形でボルトの疲労破壊を防止可能な複合雌ネジ部材及びそれを用いたコンクリートせん断補強具を提供することを目的とする。
【００１４】
上記目的を達成するため、本発明に係る複合雌ネジ部材は請求項１に記載したように、雄ネジに螺合される第１の雌ネジ部材と、該第１の雌ネジ部材と同軸に前記雄ネジに螺合され該第１の雌ネジ部材よりも大きな外径を有する第２の雌ネジ部材とからなるとともに、前記第１の雌ネジ部材が収容される凹部を前記第２の雌ネジ部材に設けてなり、前記凹部に前記第１の雌ネジ部材が収容されたとき、前記凹部の内面と前記雄ネジの材軸方向に沿って該内面と対向する前記第１の雌ネジ部材の対向面とが互いに離間した状態で、前記第２の雌ネジ部材における被締結物側部位のうち、前記凹部を取り囲む環状部位が前記第１の雌ネジ部材における被締結物側部位と面一となるように前記凹部を構成した複合雌ネジ部材であって、締結が完了した状態において前記雄ネジに発生する引張荷重が、前記第１の雌ネジ部材と前記第２の雌ネジ部材で分散支持されるようになっているものである。
【００１５】
また、本発明に係るコンクリートせん断補強具は請求項２に記載したように、ロッドの端部に形成された雄ネジに複合雌ネジ部材をコンクリート定着板として取り付けるようになっているコンクリートせん断補強具において、
前記複合雌ネジ部材を、前記雄ネジに螺合される第１の雌ネジ部材と、該第１の雌ネジ部材と同軸に前記雄ネジに螺合され該第１の雌ネジ部材よりも大きな外径を有する第２の雌ネジ部材とで構成するとともに、前記第１の雌ネジ部材が収容される凹部を前記第２の雌ネジ部材に設けてなり、前記凹部に前記第１の雌ネジ部材が収容されたとき、前記凹部の内面と前記雄ネジの材軸方向に沿って該内面と対向する前記第１の雌ネジ部材の対向面とが互いに離間した状態で、前記第２の雌ネジ部材において前記ロッドの反対側端部を向く部位のうち、前記凹部を取り囲む環状部位が、前記第１の雌ネジ部材において前記ロッドの反対側端部を向く部位と面一となり又は該部位と垂直な段差が形成されるように前記凹部を構成したものである。
【００１６】
また、本発明に係るコンクリートせん断補強具は、前記凹部の内面と該内面と対向する前記第１の雌ネジ部材の対向面との間にそれらの離間状態が保持されるように配置されるスペーサーを備えたものである。
【００１７】
第１の発明に係る複合雌ネジ部材においては、第２の雌ネジ部材は、第１の雌ネジ部材よりも大きな外径を有するとともに、該第１の雌ネジ部材が収容される凹部を設けてあり、この凹部は、第１の雌ネジ部材が収容されたとき、該凹部の内面と雄ネジの材軸方向に沿って該内面と対向する第１の雌ネジ部材の対向面とが互いに離間した状態で、第２の雌ネジ部材における被締結物側部位のうち、凹部を取り囲む環状部位が第１の雌ネジ部材における被締結物側部位と面一となるように構成してある。
【００１８】
このようにすると、第１の雌ネジ部材及び第２の雌ネジ部材が同軸になるように雄ネジにそれぞれ螺合されたとき、第１の雌ネジ部材は、その被締結物側部位で被締結物に当接するとともに、第２の雌ネジ部材もその環状部位で被締結物に当接する。
【００１９】
そのため、被締結物を締結するために雄ネジに発生する引張荷重の反力は、被締結物から第１の雌ネジ部材の被締結物側部位と第２の雌ネジ部材の環状部位にそれぞれ作用し、雄ネジのうち、第１の雌ネジ部材が螺合する箇所から受けるせん断力及び第２の雌ネジ部材が螺合する箇所から受けるせん断力と釣り合う。
【００２０】
すなわち、雄ネジに発生する引張荷重は、従来のように一つの雌ネジ部材で支持されるのではなく、第１の雌ネジ部材と第２の雌ネジ部材で分散支持されることとなり、かくして雄ネジに生じる引張応力の集中度合いは従来よりも緩和され、雄ネジの疲労寿命を大幅に伸ばすことができる。
【００２１】
また、第２の雌ネジ部材に設けられた凹部の内面と第１の雌ネジ部材の対向面とが互いに離間した状態で第２の雌ネジ部材の環状部位と第１の雌ネジ部材における被締結物側部位とが面一となるように構成してあるため、第１の雌ネジ部材の被締結物側部位と第２の雌ネジ部材の環状部位をそれぞれ被締結物に当接させることで、第２の雌ネジ部材に設けられた凹部の内面と第１の雌ネジ部材の対向面とがおのずと離間する。
【００２２】
そのため、第１の雌ネジ部材と第２の雌ネジ部材との間で直接的な荷重伝達が生じるおそれがなくなり、かくして雄ネジに発生する引張荷重は、第１の雌ネジ部材と第２の雌ネジ部材で確実に分散支持されるとともに、それによって雄ネジの疲労寿命をより確実に伸ばすことができる。
【００２３】
第１の発明に係る複合雌ネジ部材は、通常の雌ネジ部材に代わるものであって、あらゆる産業用途に用いることが可能である。
【００２４】
第２の発明に係るコンクリートせん断補強具においては、第２の雌ネジ部材は、第１の雌ネジ部材よりも大きな外径を有するとともに、該第１の雌ネジ部材が収容される凹部を設けてあり、この凹部は、第１の雌ネジ部材が収容されたとき、該凹部の内面と雄ネジの材軸方向に沿って該内面と対向する第１の雌ネジ部材の対向面とが互いに離間した状態で、第２の雌ネジ部材においてロッドの反対側端部を向く部位（以下、単に正面部位と呼ぶ）のうち、凹部を取り囲む環状部位が、第１の雌ネジ部材における正面部位と面一となり又は該正面部位と垂直な段差が形成されるように構成してある。
【００２５】
このようにすると、第２の発明に係るコンクリートせん断補強具を、第１の雌ネジ部材及び第２の雌ネジ部材が同軸になるようにロッドの雄ネジにそれぞれ螺合した状態でコンクリート構造物に埋設したときには、第１の雌ネジ部材は、正面部位でコンクリートに当接するとともに、第２の雌ネジ部材も、正面部位のうち、凹部を取り囲む環状部位でコンクリートに当接する。
【００２６】
そのため、地震荷重によってコンクリート構造物がせん断変形したとき、上述の複合雌ネジ部材は、コンクリートのせん断変形によってロッドに生じた引張荷重をその端部でコンクリートに伝達するコンクリート定着板として機能し、コンクリートをせん断補強する役目を果たすが、引張荷重の反力は、コンクリートを介して第１の雌ネジ部材における正面部位と第２の雌ネジ部材における環状部位にそれぞれ作用し、雄ネジのうち、第１の雌ネジ部材が螺合する箇所から受けるせん断力及び第２の雌ネジ部材が螺合する箇所から受けるせん断力と釣り合う。
【００２７】
すなわち、雄ネジに発生する引張荷重は、従来のように一つの雌ネジ部材で支持されるのではなく、第１の雌ネジ部材と第２の雌ネジ部材で分散支持されることとなり、かくして雄ネジに生じる引張応力の集中度合いは従来よりも緩和され、雄ネジの疲労寿命を大幅に伸ばすことができる。
【００２８】
また、コンクリートに埋設されるがゆえに疲労破壊の点検保守が困難である状況において、従来とは異なり、雄ネジの疲労破壊が未然に防止されるため、鉄筋コンクリートに代表されるコンクリート構造物の耐震性を長期的に確保することが可能となる。
【００２９】
ロッドに生じる引張荷重の反力は上述したように、コンクリートを介して第１の雌ネジ部材における正面部位と第２の雌ネジ部材における環状部位にそれぞれ作用するため、それらは必ずしも面一になっている必要はなく、正面部位に垂直な段差が形成された状態でコンクリートに埋設されてもかまわない。
【００３０】
コンクリートせん断補強具をコンクリートに埋設するにあたっては、凹部の内面とその対向面との間で直接的な荷重伝達が生じないようにする必要があり、例えば、第１の雌ネジ部材及び第２の雌ネジ部材をロッドの雄ネジにそれぞれ螺合する際、凹部の内面とその対向面とが互いに離間するよう、例えばそのときの相対位置関係を予めマーキングしておき、それに合わせて螺合作業を行うことでも対応が可能であるが、第２の雌ネジ部材における環状部位が、第１の雌ネジ部材における正面部位と面一となるように上述の凹部を構成したならば、第２の雌ネジ部材における環状部位と第１の雌ネジ部材における正面部位とが面一になるように、第１の雌ネジ部材と第２の雌ネジ部材を雄ネジに螺合するだけで、凹部の内面とその対向面とを互いに離間させることが可能となり、螺合作業における品質管理が容易になる。
【００３１】
一方、上述した凹部の内面と該内面と対向する第１の雌ネジ部材の対向面との間にそれらの離間状態が保持されるように配置されるスペーサーを備えたならば、螺合作業において特段の注意を払わずとも、凹部の内面とその対向面とを確実に離間させることが可能となる。
【図面の簡単な説明】
【００３２】
【図１】第１実施形態に係る複合雌ネジ部材の縦断面図であり、(a)は組立図、(b)は組立後の全体図。
【図２】第１実施形態に係る複合雌ネジ部材の図であり、(a)はＡ−Ａ線方向から見た矢視図、(b)はＢ−Ｂ線方向から見た矢視図。
【図３】第１実施形態に係る複合雌ネジ部材を用いて締結する手順を縦断面で示した説明図。
【図４】第１実施形態に係る複合雌ネジ部材を用いた締結が完了した様子を示した縦断面図。
【図５】第１実施形態に係る複合雌ネジ部材の荷重載荷状況及びボルトの引張応力分布並びに各部材の荷重釣り合い状況を示した説明図。
【図６】従来の雌ネジ部材及び該雌ネジ部材に螺合するボルトの荷重載荷状況とボルトの引張応力分布を示した説明図。
【図７】第２実施形態に係るコンクリートせん断補強具７５の配置状況を示した斜視図。
【図８】コンクリートせん断補強具７５を縦断面で示した組立図。
【図９】第２実施形態に係るコンクリートせん断補強具７５の荷重載荷状況を示した説明図。
【図１０】変形例に係るコンクリートせん断補強具を示した縦断面図。
【図１１】別の変形例に係るコンクリートせん断補強具を示した縦断面図。
【発明を実施するための形態】
【００３３】
以下、本発明に係る複合雌ネジ部材及びそれを用いたコンクリートせん断補強具の実施の形態について、添付図面を参照して説明する。
【００３４】
[第１実施形態]
図１及び図２は、本実施形態に係る複合雌ネジ部材を示した図である。これらの図に示すように、本実施形態に係る複合雌ネジ部材１は、雄ネジ２に螺合される第１の雌ネジ部材３と、該第１の雌ネジ部材と同軸に雄ネジ２に螺合され該第１の雌ネジ部材よりも大きな外径を有する第２の雌ネジ部材４とで構成してある。
【００３５】
第１の雌ネジ部材３は図１(a)でよくわかるように、円筒体の一端から円錐台が延びる形状をなし、雄ネジ２が挿入される側である被締結物側部位を平坦面７で、その反対側部位を円錐面８でそれぞれ形成してあるとともに、それらを一方から他方に貫通するように雌ネジ９が形成してある。
【００３６】
第２の雌ネジ部材４は同図に示すように全体が円板状をなし、円筒内面１２ａとそれに続く円錐内面１２ｂとを有する凹部５を、雄ネジ２が挿入される側である被締結物側部位に設けてあるとともに、該凹部の底部から被締結物側部位の反対側に貫通するように雌ネジ１０を形成してあり、凹部５の周囲に拡がる被締結物側部位は、凹部５を取り囲む環状部位１１となる。
【００３７】
ここで、凹部５は同図(b)でよくわかるように、該凹部に第１の雌ネジ部材３が収容されたとき、凹部５の円錐内面１２ｂと雄ネジ２の材軸方向に沿って該円錐内面と対向する第１の雌ネジ部材３の対向面、すなわち上述した円錐面８とが互いに離間した状態で、環状部位１１が平坦面７と面一となるように構成してある。
【００３８】
なお、第１の雌ネジ部材３は、その外周面が、第２の雌ネジ部材４に形成された凹部５の円筒内面１２ａと螺合に支障がある摩擦が発生しないよう、互いに離間させておくか、それらの面を平滑処理しておく。
【００３９】
図３は、締結側本体３２から延びる雄ネジ２に複合雌ネジ部材１を螺合することによって該締結側本体に被締結物であるプレート３１を締結する手順を示したものである。ここで、締結側本体３２とプレート３１は、設備機器本体と該設備機器本体に取り付けられる付属部品、構造物本体と該構造物本体に連結されるブレース材のエンドプレートをはじめ、ボルトとナットで締結されるすべての組み合わせが該当する。
【００４０】
複合雌ネジ部材１を用いてプレート３１を締結側本体３２に締結するには、同図(a)に示すようにまず、プレート３１に形成されたボルト孔３３に雄ネジ２が挿通されるように該プレートを締結側本体３２に配置し、次いで、第１の雌ネジ部材３を、その平坦面７がプレート３１に当接されるように雄ネジ２に螺合する。
【００４１】
次に、同図(b)に示すように、第２の雌ネジ部材４を第１の雌ネジ部材３の上から被せるように配置し、次いで、第２の雌ネジ部材４の環状部位１１がプレート３１に当接されるように、該第２の雌ネジ部材の雌ネジ１０を雄ネジ２に螺合する。
【００４２】
図４は、プレート３１を複合雌ネジ部材１を用いて締結側本体３２に締結した様子を示したものである。
【００４３】
本実施形態に係る複合雌ネジ部材１においては、第１の雌ネジ部材３及び第２の雌ネジ部材４が同軸になるように雄ネジ２にそれぞれ螺合されたとき、図５(a)に示すように、第１の雌ネジ部材３は、被締結物側部位である平坦面７で被締結物であるプレート３１に当接するとともに、第２の雌ネジ部材４もその環状部位１１でプレート３１に当接する。
【００４４】
そのため、プレート３１を締結するために雄ネジ２に発生する引張荷重の反力は、プレート３１から第１の雌ネジ部材３の平坦面７と第２の雌ネジ部材４の環状部位１１にそれぞれ作用する。
【００４５】
そして、上述した引張荷重の反力は、同図(b)でよくわかるように、雄ネジ２のうち、第１の雌ネジ部材３が螺合する箇所から受けるせん断力及び第２の雌ネジ部材４が螺合する箇所から受けるせん断力と釣り合う。
【００４６】
そのため、雄ネジ２に発生する引張荷重は、第１の雌ネジ部材３と第２の雌ネジ部材４で分散支持され、雄ネジ２の引張応力は同図(a)の右側に示したように、第１の雌ネジ部材３に形成された雄ネジ２の開口断面位置での集中度合いが緩和されるとともに、深さ方向に沿って比較的緩やかに低下する。
【００４７】
ここで、同図(a)の左側は、雄ネジ２に複合雌ネジ部材１が螺合された状態の全体の釣り合いを描いたものであり、同図(b)の上段は、第２の雌ネジ部材４に作用する力の釣り合いを、中段は第１の雌ネジ部材３に作用する力の釣り合いを、下段は、雄ネジ２に作用する力の釣り合いをそれぞれ描いたものである。
【００４８】
一方、従来においては、雄ネジ２に生ずる引張荷重の反力は、図６に示すように、雌ネジ部材であるナット６１の被締結物側部位にのみ作用するため、雄ネジ２の引張応力は同図右側に示したように、ナット６１の開口断面位置から離れると急激に低下する。
【００４９】
以上説明したように、本実施形態に係る複合雌ネジ部材１によれば、第１の雌ネジ部材３よりも大きな外径を有する第２の雌ネジ部材４に、該第１の雌ネジ部材が収容される凹部５を設けるとともに、該凹部を、その円錐内面１２ｂと該円錐内面と対向する第１の雌ネジ部材３の円錐面８とが互いに離間した状態で、第２の雌ネジ部材４の環状部位１１が、第１の雌ネジ部材３の平坦面７と面一となるように構成したので、雄ネジ２に発生する引張荷重は、従来のように一つのナット６１で支持されるのではなく、第１の雌ネジ部材３と第２の雌ネジ部材４で分散支持されることとなり、かくして雄ネジ２に生じる引張応力（図５(a)）は、従来の引張応力（図６）よりも大幅に集中度合いが緩和され、雄ネジ２の疲労寿命を大幅に伸ばすことができる。
【００５０】
また、本実施形態に係る複合雌ネジ部材１によれば、第２の雌ネジ部材４に設けられた凹部５の円錐内面１２ｂと第１の雌ネジ部材３の円錐面８とが互いに離間した状態で第２の雌ネジ部材４の環状部位１１と第１の雌ネジ部材３における平坦面７とが面一となるように構成してあるため、第１の雌ネジ部材３の平坦面７と第２の雌ネジ部材４の環状部位１１をそれぞれプレート３１に当接させることにより、第２の雌ネジ部材４に設けられた凹部５の円錐内面１２ｂと第１の雌ネジ部材３の円錐面８とはおのずと離間する。
【００５１】
そのため、第１の雌ネジ部材３と第２の雌ネジ部材４との間で直接的な荷重伝達が生じるおそれがなくなり、かくして雄ネジ２に発生する引張荷重は、第１の雌ネジ部材３と第２の雌ネジ部材４で確実に分散支持されるとともに、それによって雄ネジ２の疲労寿命をより確実に伸ばすことができる。
【００５２】
[第２実施形態]
次に、第２実施形態に係るコンクリートせん断補強具について説明する。なお、第１実施形態と実質的に同一の部品等については同一の符号を付してその説明を省略する。
【００５３】
図７は、第２実施形態に係るコンクリートせん断補強具７５の配置状況を斜視図で示したものである。同図に示すように、本実施形態に係るコンクリートせん断補強具７５は、一方の壁面に沿って鉛直配置された主筋７３ａと、該主筋に直交するように水平配置された配力筋７４ａと、他方の壁面に沿って鉛直配置された主筋７３ｂと、該主筋に直交するように水平配置された配力筋７４ｂと、それらを埋設するコンクリート７２とで構成された鉄筋コンクリート壁７１に適用されたものであって、該コンクリートせん断補強具は、主筋７３ａと配力筋７４ａとの交差箇所及び主筋７３ｂと配力筋７４ｂとの交差箇所に架け渡す形で壁面と直交するように配置してある。
【００５４】
コンクリートせん断補強具７５は図８に示すように、ロッド７６と、該ロッドの各端に形成された雄ネジ２，２に取り付けられる複合雌ネジ部材１，１とで構成してあり、該複合雌ネジ部材は、地震時におけるコンクリート７２のせん断変形によってロッド７６に引張荷重が生じたとき、該引張荷重によるロッド７６の端部の抜け出しを防止することで、コンクリート７２のせん断変形を抑制するコンクリート定着板として機能する。
【００５５】
なお、複合雌ネジ部材１は、第１実施形態とほぼ同一の構成であるので、ここではその説明を省略するが、第１実施形態における被締結物側部位は、ロッド７６の反対側端部を向く部位（正面部位）と読み替えるものとし、本実施形態では、第１の雌ネジ部材３の正面部位が平坦面７となり、第２の雌ネジ部材４の正面部位のうち、凹部５の周囲に拡がる正面部位が環状部位１１となる。
【００５６】
コンクリートせん断補強具７５を組み立てるには、第１の雌ネジ部材３と第２の雌ネジ部材４とを、同軸になるようにロッド７６の各雄ネジ２にそれぞれ順次螺合すればよい。
【００５７】
螺合作業を行う際には、第２の雌ネジ部材４に設けられた凹部５の円錐内面１２ｂと第１の雌ネジ部材３の円錐面８とが、図１(b)で示したように互いに離間した状態となるよう、第２の雌ネジ部材４の環状部位１１と第１の雌ネジ部材３における平坦面７とを面一にする。
【００５８】
第２の雌ネジ部材４の環状部位１１と第１の雌ネジ部材３における平坦面７とを面一にするには、例えば雄ネジ２が挿入されるスリットが形成された平板状の鋼製治具を用意し、そのスリットに雄ネジ２が挿入されるように該雄ネジにセットし、次いで、第２の雌ネジ部材４の環状部位１１と第１の雌ネジ部材３における平坦面７とが鋼製治具に当接するまでそれらを螺合し、作業後、鋼製治具を撤去すればよい。
【００５９】
なお、第１の雌ネジ部材３と第２の雌ネジ部材４との螺合位置がコンクリート打設前にずれて、第２の雌ネジ部材４に設けられた凹部５の円錐内面１２ｂと第１の雌ネジ部材３の円錐面８との離間状態が確保されないおそれがある場合には、例えば複合雌ネジ部材１の両側からナットをそれぞれ雄ネジ２に螺合することにより、螺合位置のずれを防止するようにすればよい。
【００６０】
コンクリートせん断補強具７５の組立が完了したならば、次に、主筋７３ａ，７３ｂや配力筋７４ａ，７４ｂとともに上述した手順で配置し、次いでコンクリート７２を打設し硬化させることで鉄筋コンクリート壁７１を構築する。
【００６１】
本実施形態に係るコンクリートせん断補強具７５においては、図９に示したように第１の雌ネジ部材３は、平坦面７でコンクリート７２に当接するとともに、第２の雌ネジ部材４も、正面部位のうち、凹部を取り囲む環状部位１１でコンクリート７２に当接する。
【００６２】
そのため、地震時にコンクリート７２がせん断変形してロッド７６に引張荷重が生じたとき、該引張荷重の反力は同図に示すように、コンクリート７２を介して第１の雌ネジ部材３における平坦面７と第２の雌ネジ部材４における環状部位１１にそれぞれ作用する。
【００６３】
そして、上述した引張荷重の反力は、第１実施形態の図５(b)で説明したと同様、雄ネジ２のうち、第１の雌ネジ部材３が螺合する箇所から受けるせん断力及び第２の雌ネジ部材４が螺合する箇所から受けるせん断力と釣り合うため、雄ネジ２に発生する引張荷重は、第１の雌ネジ部材３と第２の雌ネジ部材４で分散支持される。
【００６４】
それに対し、ロッドの各端に単体の雌ネジ部材をそれぞれ螺着した従来のコンクリートせん断補強具においては、雄ネジ２に生ずる引張荷重の反力は、第１実施形態の図６で説明したと同様、単体構成の雌ネジ部材の正面部位に作用し、雄ネジ２の引張応力は、雌ネジ部材の開口断面位置に集中する。
【００６５】
以上説明したように、本実施形態に係るコンクリートせん断補強具７５によれば、第１の雌ネジ部材３よりも大きな外径を有する第２の雌ネジ部材４に、該第１の雌ネジ部材が収容される凹部５を設けたので、雄ネジ２に発生する引張荷重は、従来のように一つの雌ネジ部材で支持されるのではなく、第１の雌ネジ部材３と第２の雌ネジ部材４で分散支持されることとなり、かくして雄ネジ２に生じる引張応力（第１実施形態の図５(a)参照）は、従来の引張応力（同じく図６参照）よりも集中度合いが大幅に緩和され、雄ネジ２の疲労寿命を大幅に伸ばすことができる。
【００６６】
また、本実施形態に係るコンクリートせん断補強具７５によれば、第２の雌ネジ部材４に設けられた凹部５の円錐内面１２ｂと第１の雌ネジ部材３の円錐面８とが互いに離間した状態で第２の雌ネジ部材４の環状部位１１と第１の雌ネジ部材３における平坦面７とが面一となるように構成してあるため、第１の雌ネジ部材３の平坦面７と第２の雌ネジ部材４の環状部位１１とが面一になるように螺合することにより、第２の雌ネジ部材４に設けられた凹部５の円錐内面１２ｂと第１の雌ネジ部材３の円錐面８との離間状態を容易に確保することができる。
【００６７】
そのため、第１の雌ネジ部材３と第２の雌ネジ部材４との間における直接的な荷重伝達を、簡単な品質管理で防止することが可能となり、かくして雄ネジ２に発生する引張荷重は、第１の雌ネジ部材３と第２の雌ネジ部材４で確実に分散支持されるとともに、それによって雄ネジ２の疲労寿命を確実に伸ばすことができる。
【００６８】
また、本実施形態に係るコンクリートせん断補強具７５によれば、コンクリート７２に埋設されるがゆえに、疲労破壊の点検保守が困難である状況において、従来とは異なり、雄ネジ２の疲労破壊が未然に防止されるため、鉄筋コンクリート壁７１の耐震性を長期的に確保することが可能となる。
【００６９】
本実施形態では、第２の雌ネジ部材４に設けられた凹部５の円錐内面１２ｂと第１の雌ネジ部材３の円錐面８とが互いに離間した状態で第２の雌ネジ部材４の環状部位１１と第１の雌ネジ部材３における平坦面７とが面一となるように構成し、その上で、環状部位１１と平坦面７とが面一となるように、第１の雌ネジ部材３と第２の雌ネジ部材４との螺合位置を施工現場で調整するようにした。
【００７０】
しかし、この構成は、施工現場での螺合位置調整を容易にするための構成であって、円錐内面１２ｂと円錐面８との離間状態を別途確保することができるのであれば、打設されたコンクリート（フレッシュコンクリート）が第２の雌ネジ部材４の環状部位１１と第１の雌ネジ部材３における平坦面７に確実に当接する関係上、該環状部位と平坦面とが必ずしも面一となるように凹部５を構成する必要はない。
【００７１】
例えば、凹部５の円錐内面１２ｂと円錐面８とが互いに離間した状態となる両者の相対位置関係を第１の雌ネジ部材３や第２の雌ネジ部材４に予めマーキングしておけば、施工の際、このマーキングを利用して螺合調整することが可能である。
【００７２】
また、このような施工現場での螺合位置調整が可能である場合、例えば図１０(a)に示すように、第１の雌ネジ部材３における平坦面７が、第２の雌ネジ部材４の環状部位１１よりも後方に位置する形の垂直段差が形成された構成でもかまわないし、図１０(b)に示すように、第１の雌ネジ部材３における平坦面７が、第２の雌ネジ部材４の環状部位１１よりも前方に位置する形の垂直段差が形成された構成でもかまわない。
【００７３】
なお、これらの構成においても、雄ネジ２の引張荷重に対する反力は同図に示すように、コンクリート７２を介して上述の実施形態の場合と同様に作用するので、雄ネジ２に発生する引張荷重が、第１の雌ネジ部材３と第２の雌ネジ部材４で分散支持されるという点については、上述の実施形態とは何ら変わりはない。
【００７４】
また、本実施形態や上述した変形例では、第２の雌ネジ部材４の環状部位１１と第１の雌ネジ部材３における平坦面７とが面一となるように施工現場で螺合位置を調整したり、予め付されたマーキングを利用して第１の雌ネジ部材３と第２の雌ネジ部材４との相対螺合位置を調整したりしたが、これらに代えて、図１１に示すように、凹部５の円錐内面１２ｂと円錐面８との間にスペーサー１０１を介在させるようにしてもよい。
【００７５】
かかる構成によれば、第２の雌ネジ部材４の環状部位１１と第１の雌ネジ部材３の平坦面７とが面一なのか、それともそれらが前後して垂直段差が形成されているのかにかかわらず、上述した離間状態をより確実に形成することができるとともに、現場での施工管理も不要となる。
【００７６】
ここで、図１１(a)は、第１の雌ネジ部材３の平坦面７が第２の雌ネジ部材４の環状部位１１と面一である場合、図１１(b)は、第１の雌ネジ部材３の平坦面７が第２の雌ネジ部材４の環状部位１１よりも後方に位置している場合、図１１(c)は、第１の雌ネジ部材３の平坦面７が第２の雌ネジ部材４の環状部位１１よりも前方に位置している場合を示したものである。
【００７７】
スペーサー１０１は、例えば環状のゴム材や同じく環状の皿バネといった弾性部材で構成することが可能であり、かかる構成においては、スペーサー１０１が収縮しようとしたときに、該スペーサーからの反力により、螺合に必要なトルクがそれまでよりも大きくなるため、その時点で螺合作業を終了すればよい。
【００７８】
なお、スペーサー１０１は、収縮時の反力が雄ネジ２に生じる引張荷重あるいはその反力よりも十分小さくなるように構成する。
【符号の説明】
【００７９】
１                複合雌ネジ部材
２                雄ネジ
３                第１の雌ネジ部材
４                第２の雌ネジ部材
５                凹部
７                平坦面（被締結物側部位、正面部位）
８                円錐面（対向面）
１１                環状部位（被締結物側部位、正面部位）
１２ａ              円筒内面（凹部の内面）
１２ｂ              円錐内面（凹部の内面）
３１                被締結物
７５                コンクリートせん断補強具
７６                ロッド
【図１】
0006439329.tif 000002
【図２】
0006439329.tif 000003
【図３】
0006439329.tif 000004
【図４】
0006439329.tif 000005
【図５】
0006439329.tif 000006
【図６】
0006439329.tif 000007
【図７】
0006439329.tif 000008
【図８】
0006439329.tif 000009
【図９】
0006439329.tif 000010
【図１０】
0006439329.tif 000011
【図１１】
0006439329.tif 000012